(57)【要約】【課題】過変調信号の対応に優れた変調信号処理装置を提供すること。【解決手段】実施形態の変調信号処理装置は、設定手段と、記憶手段と、チャンネル選択手段と、信号処理手段とを備える。前記設定手段は、各チャンネルに対して、複数の信号処理モードの中から選択された一つの信号処理モードを設定する。前記記憶手段は、各チャンネルに対して設定された信号処理モードを記憶する。前記チャンネル選択手段は、チャンネルを選択する。前記信号処理手段は、前記チャンネル選択手段により選択された選択チャンネルに対して設定された信号処理モードに基づき、前記選択されたチャンネルの変調信号を処理する。【選択図】図１
2012015806.tif 000002
【特許請求の範囲】
【請求項１】
各チャンネルに対して、複数の信号処理モードの中から選択された一つの信号処理モードを設定する設定手段と、
各チャンネルに対して設定された信号処理モードを記憶する記憶手段と、
チャンネルを選択するチャンネル選択手段と、
前記チャンネル選択手段により選択された選択チャンネルに対して設定された信号処理モードに基づき、前記選択チャンネルの変調信号を処理する信号処理手段と、
を備えた変調信号処理装置。
【請求項２】
前記設定手段は、各チャンネルに対して、複数の変調音声信号処理モードの中から選択された一つの変調音声信号処理モードを設定し、
前記記憶手段は、各チャンネルに対して設定された変調音声信号処理モードを記憶し、
前記信号処理手段は、前記選択チャンネルに対して設定された変調音声信号処理モードに基づき、前記選択チャンネルの変調音声信号を処理する請求項１に記載の変調信号処理装置。
【請求項３】
前記設定手段は、各チャンネルに対して、第１の変調度の変調音声信号を処理するための第１の変調音声信号処理モード又は第２の変調度の変調音声信号を処理するための第２の変調音声信号処理モードを設定し、
前記記憶手段は、各チャンネルに対して設定された前記第１又は第２の変調音声信号処理モードを記憶し、
前記信号処理手段は、前記選択チャンネルに対して設定された前記第１又は第２の変調音声信号処理モードに基づき、前記選択チャンネルの変調音声信号を処理する請求項１に記載の変調信号処理装置。
【請求項４】
前記設定手段は、各チャンネルに対して、規定変調度の変調音声信号を処理するための第１の変調音声信号処理モード又は規定変調度と異なる変調度の過変調音声信号を処理するための第２の変調音声信号処理モードを設定し、
前記記憶手段は、各チャンネルに対して設定された前記第１又は第２の変調音声信号処理モードを記憶し、
前記信号処理手段は、前記選択チャンネルに対して設定された前記第１又は第２の変調音声信号処理モードに基づき、前記選択チャンネルの変調音声信号を処理する請求項１に記載の変調信号処理装置。
【請求項５】
前記記憶手段は、初期状態において、各チャンネルに対して設定された前記第２の変調音声信号処理モードを記憶する請求項３又は４に記載の変調信号処理装置。
【請求項６】
前記複数の信号処理モードの中から前記一つの信号処理モードを選択するための信号処理モード選択手段を備えた請求項１に記載の変調信号処理装置。
【請求項７】
信号処理モード設定画面を表示するための表示情報を出力する出力手段を備え、
前記設定手段は、前記信号処理モード設定画面を介して、各チャンネルに対して、前記選択手段により選択された前記一つの信号処理モードを設定する請求項６に記載の変調信号処理装置。
【請求項８】
前記出力手段は、各チャンネルに対して設定された信号処理モードを表示するための表示情報を出力する請求項１に記載の変調信号処理装置。
【請求項９】
各チャンネルに対して、複数の信号処理モードの中から選択された一つの信号処理モードを設定し、
各チャンネルに対して設定された信号処理モードを記憶し、
チャンネルを選択し、
前記選択された選択チャンネルに対して設定された信号処理モードに基づき、前記選択されたチャンネルの変調信号を処理する変調信号処理装置。
【発明の詳細な説明】
【技術分野】
【０００１】
本発明の実施形態は、変調信号を処理する変調信号処理装置及び変調信号処理方法に関する。
【背景技術】
【０００２】
各放送局からのテレビジョン放送等の音声信号は、規定変調度で変調されている。よって、テレビジョン放送受信装置は、規定変調度に対応した音声処理により、各放送局からの規定変調音声信号を適切に処理し出力することができる。
【０００３】
ところが、国又は地域によっては、変調振幅が規定変調振幅より広い過変調音声信号が放送されていることがある。つまり、規定変調音声信号を放送している放送局と過変調音声信号を放送している放送局とが混在していることがある。
【０００４】
上記したようなテレビジョン放送受信装置が、過変調音声信号を受信した場合、過変調音声信号を適切に処理し出力することができず、出力音声に歪等が生じることがある。
【０００５】
そこで、受信した音声信号の利得を調整し、調整した利得を記憶し、過変調音声信号に対応する技術が提案されている。
【先行技術文献】
【特許文献】
【０００６】
【特許文献１】特開２００８−２０５７６２号公報
【発明の概要】
【発明が解決しようとする課題】
【０００７】
しかしながら、音声信号の受信に応じて利得を調整する場合、毎回、僅かに異なる利得が設定されてしまうことがある。例えば、過変調信号の過変調度が一定であるにもかかわらず、毎回、僅かに異なる利得が設定されてしまい、音声出力が不安定になることがある。このように、過変調信号に対する対応が不十分であるという課題があった。
【０００８】
本発明の目的は、過変調信号の対応に優れた変調信号処理装置及び変調信号処理方法を提供することにある。
【課題を解決するための手段】
【０００９】
実施形態の変調信号処理装置は、設定手段と、記憶手段と、チャンネル選択手段と、信号処理手段とを備える。前記設定手段は、各チャンネルに対して、複数の信号処理モードの中から選択された一つの信号処理モードを設定する。前記記憶手段は、各チャンネルに対して設定された信号処理モードを記憶する。前記チャンネル選択手段は、チャンネルを選択する。前記信号処理手段は、前記チャンネル選択手段により選択された選択チャンネルに対して設定された信号処理モードに基づき、前記選択されたチャンネルの変調信号を処理する。
【図面の簡単な説明】
【００１０】
【図１】第１及び第２の実施形態において共通する放送受信装置の概略構成の一例を示す図である。
【図２】第１の変調音声信号処理モード（Ｍｏｎｏ１）と第２の変調音声信号処理モード（Ｍｏｎｏ２）の使い分けの一例を説明するためのフローチャートである。
【図３】第１の変調音声信号処理モード（Ｍｏｎｏ１）と第２の変調音声信号処理モード（Ｍｏｎｏ２）による変調音声信号と過変調音声信号の処理の一例を示す図である。
【図４】信号処理モード設定画面の一例を示す図である。
【発明を実施するための形態】
【００１１】
以下、第１及び第２の実施形態について図面を参照して説明する。
【００１２】
図１は、第１及び第２の実施形態において共通する放送受信装置の概略構成の一例を示す図である。第１及び第２の実施形態では、１以上のチューナーを備えた放送受信装置による変調音声信号処理の一例について説明する。しかしながら、本発明は、このような放送受信装置による変調音声信号処理に限定されるものではない。例えば、１以上のチューナーを備えたＨＤＤレコーダ、ＢＤ（Blu-ray）（登録商標）レコーダ、及びＤＶＤレコーダ等の番組記録装置により以下説明する変調音声信号処理を実現することも可能である。また、１以上のチューナーにより構成されるセットトップボックスにより以下説明する変調音声信号処理を実現することも可能である。なお、上記した放送受信装置、番組記録装置、及びセットトップボックスは、何れも、ケーブルテレビ放送、衛星放送、地上波放送、及びＩＰ放送などの放送信号を受信して、受信放送信号に含まれる映像信号を表示装置で視聴可能な信号に変換し出力するとともに、受信放送信号に含まれる変調音声信号をスピーカーで出力可能な信号に変換し出力するものである。
【００１３】
図１に示すように、放送受信装置は、チューナー１０２、信号処理モジュール１０３、映像処理モジュール１０４、表示処理モジュール１０５、映像表示部１０６、音声処理モジュール１０７、スピーカー１０８、制御モジュール１１０、メモリ部１１１、ＲＯＭ１１２、入力部１１３、リモートコントローラ１１４、受光部１１５、ＵＳＢコネクタ１１６、及びカードコネクタ１１７等を備えている。
【００１４】
チューナー１０２は、例えば、デジタル放送受信用チューナーであり、チャンネル選択手段として機能する。図１に示す放送受信装置は、一つのチューナー１０２により構成されているが、複数のチューナーにより構成されていてもよい。
【００１５】
例えば、リモートコントローラ１１４は、複数のチャンネルキー、モード設定キー、メニューキー、方向キー、決定キー等を備えている。入力部１１３も、同様のキーを備えている。リモートコントローラ１１４及び入力部１１３は、信号処理モード選択手段として機能する。例えば、ユーザーは、リモートコントローラ１１４のチャンネルキーを介して、所望のチャンネルを指定することができる。
【００１６】
チューナー１０２は、アンテナ１０１で受信されたＢＳ、ＣＳ、地上波等のデジタル放送信号を受け取り、リモートコントローラ１１４等を介してユーザーにより指示された所望チャンネルの放送信号を選択し、出力する。
【００１７】
信号処理モジュール１０３は、放送信号に含まれた映像信号を映像処理モジュール１０４へ出力し、また放送信号に含まれた音声信号を音声処理モジュール１０７へ出力する。
【００１８】
映像処理モジュール１０４は、映像表示部１０６の画面サイズに応じて、映像信号を処理する。表示処理モジュール１０５は、映像信号と文字情報等のグラフィックとを合成し、合成映像信号を出力する。表示部１０６は、合成映像信号に基づき映像を表示する。
【００１９】
音声処理モジュール１０７は、音声信号に対して増幅等の音響処理を適用する。スピーカー１０８は、音声処理モジュール１０７により処理された音声信号に基づき音声を出力する。
【００２０】
制御モジュール１１０は、例えばマイクロコンピュータにより構成され、ＩＩＣ−ＢＵＳ等の通信ラインを介して、チューナー１０２、信号処理モジュール１０３、映像処理モジュール１０４、及び表示処理モジュール１０５、音声処理モジュール１０７等の映像音声処理モジュールと接続されている。これにより、制御モジュール１１０は、ＩＩＣ−ＢＵＳ等の通信ラインを介して、映像音声処理モジュールを制御することができる。
【００２１】
さらに、制御モジュール１１０は、メモリ部１１１、ＲＯＭ１１２、入力部１１３、受光部１１５と接続されている。制御モジュール１１０は、ＲＯＭ１１２から動作プログラム等のデータを読み出したり、メモリ部１１１を構成する揮発性メモリ（ＲＡＭ）及び不揮発性メモリ（ＮＶＲＡＭ）に対して各種データを書き込んだり、メモリ部１１１を構成する揮発性メモリ及び不揮発性メモリから各種データを読み出したりする。
【００２２】
さらに、制御モジュール１１０は、入力部１１３、受光部１１５と接続されている。これにより、制御モジュール１１０は、入力部１１３を介して各種指示を受け取ったり、また受光部１１５を介してリモートコントローラ１１４からの各種指示を受け取ったりする。
【００２３】
さらに、制御モジュール１１０は、ＵＳＢコネクタ１１６、カードコネクタ１１７と接続されている。これにより、制御モジュール１１０は、ＵＳＢコネクタ１１６を介して、ＵＳＢコネクタ１１６に接続されたＵＳＢ機器１１８に対してデータを送信したり、ＵＳＢ機器１１８からのデータを受信したりすることができる。同様に、制御モジュール１１０は、カードコネクタ１１７を介して、カードコネクタ１１７に接続されたメディアカード１１９に対してデータを送信したり、メディアカード１１９からのデータを受信したりすることができる。
【００２４】
次に、上記説明した放送受信装置による変調音声信号処理について説明する。
【００２５】
（第１の実施形態）
国又は地域によっては、規定変調度（第１の変調度）で変調された変調音声信号（第１の変調音声信号）と、規定変調度と異なる変調度（第２の変調度）で変調された過変調音声信号（第２の変調音声信号）が放送されていることがある。
【００２６】
放送受信装置の制御モジュール１１０は、各チャンネルに対して、複数の変調音声信号処理モード（複数の信号処理モード）の中から選択された一つの変調音声信号処理モード（一つの信号処理モード）を設定し、各チャンネルに対して設定された変調音声信号処理モード（信号処理モード）を記憶することができる。例えば、メモリ部１１１は、複数の変調音声信号処理モードを記憶し、さらに、各チャンネルに対して設定された変調音声信号処理モードを記憶する。
【００２７】
これにより、放送受信装置の音声処理モジュール１０７は、メモリ部１１１に記憶された各チャンネルの変調音声信号処理モードを参照し、選択されたチャンネルに対して設定された変調音声信号処理モード（信号処理モード）に基づき、選択されたチャンネルの変調音声信号（変調信号）を処理することができる。
【００２８】
例えば、ユーザーが、リモートコントローラ１１４の第１のチャンネルキーを介して第１のチャンネルの選択を指示すると、これに対応して、チューナー１０２は、受信放送信号から第１のチャンネルの第１の放送信号を選択し出力し、映像処理モジュール１０４は、第１の放送信号に含まれた映像信号を処理し出力し、音声処理モジュール１０７は、第１のチャンネルに対して設定された第１又は第２の変調音声信号処理モードに基づき、第１の放送信号に含まれた音声信号を処理し出力する。つまり、映像表示部１０６は、第１の放送信号に含まれた映像信号に基づく映像を表示し、スピーカー１０８は、第１の放送信号に含まれた音声信号に基づく音声を出力する。
【００２９】
第１の変調音声信号処理モードは、第１の変調度で変調された第１の変調音声信号を処理するためモードである。例えば、第１の変調音声信号処理モードは、変調音声信号を補正せずに変調音声信号を処理するためのモードである。また、第２の変調音声信号処理モードは、第２の変調度で変調された第２の変調音声信号を処理するためモードである。例えば、第２の変調音声信号処理モードは、変調音声信号を補正して変調音声信号を処理するためのモードである。
【００３０】
上記したように、第１のチャンネルが選択された状態で（第１のチャンネルの第１の放送信号が出力された状態で）、ユーザーは、リモートコントローラ１１４のモード設定キーを介して、第１のチャンネルに対して設定された第１又は第２の変調音声信号処理モードを変更することができる。
【００３１】
例えば、第１のチャンネルが選択された状態、且つ第１のチャンネルに対して第１の変調音声信号処理モードが設定された状態で、リモートコントローラ１１４のモード設定キーが押下されると、制御モジュール１１０は、第１のチャンネルに対して第２の変調音声信号処理モードを設定し、メモリ部１１１は、第１のチャンネルに対して設定された第２の変調音声信号処理モードを記憶する。
【００３２】
また、第１のチャンネルが選択された状態、且つ第１のチャンネルに対して第２の変調音声信号処理モードが設定された状態で、リモートコントローラ１１４のモード設定キーが押下されると、制御モジュール１１０は、第１のチャンネルに対して第１の変調音声信号処理モードを設定し、メモリ部１１１は、第１のチャンネルに対して設定された第１の変調音声信号処理モードを記憶する。
【００３３】
例えば、第１のチャンネルの変調音声信号が第１の変調度で変調された第１の変調音声信号である場合に、第１のチャンネルに対して第１の変調音声信号処理モードが設定されれば、第１のチャンネルの変調音声信号は、適切に処理され、スピーカー１０８からは歪の少ない良好な音声が出力されることになる。
【００３４】
逆に、第１のチャンネルの変調音声信号が第２の変調度で変調された第２の変調音声信号である場合、第１のチャンネルに対して第１の変調音声信号処理モードが設定されれば、第１のチャンネルの変調音声信号は、適切に処理されず、スピーカー１０８からは歪んだ音声が出力されることになる。
【００３５】
この場合、ユーザーは、リモートコントローラ１１４のモード設定キーを介して、第１のチャンネルに対して第２の変調音声信号処理モードを設定する。これにより、第１のチャンネルの変調音声信号は、適切に処理され、スピーカー１０８からは歪の少ない良好な音声が出力されることになる。
【００３６】
上記と同様に、第２、第３のチャンネル等に対しても、第１又は第２の変調音声信号処理モードを設定することができる。つまり、各チャンネルに対して、第１又は第２の変調音声信号処理モードを設定することができる。従って、各チャンネルの変調音声信号が第１の変調音声信号であっても、また第２の変調音声信号であっても、各チャンネルに対して、第１又は第２の変調音声信号処理モードを設定することにより、スピーカー１０８からは歪の少ない良好な音声を出力することができる。
【００３７】
例えば、初期状態において、制御モジュール１１０は、各チャンネルに対して第２の変調音声信号処理モードを設定することができる。つまり、初期状態において、メモリ部１１１は、各チャンネルに対して設定された第２の変調音声信号処理モードを記憶する。
【００３８】
例えば、第１の変調音声信号により番組を放送している放送局の数よりも第２の変調音声信号により番組を放送している放送局の数が多い国や地域では、初期状態において、各チャンネルに対して第２の変調音声信号処理モードが設定されているほうが使い勝手が良い。
【００３９】
図２は、第１の変調音声信号処理モード（Ｍｏｎｏ１）と第２の変調音声信号処理モード（Ｍｏｎｏ２）の使い分けの一例を説明するためのフローチャートである。
【００４０】
例えば、チャンネルＮが選択され、チャンネルＮに対して最後に設定（メモリ）されたモードが、Ｍｏｎｏ１である場合には（ＳＴ１、ＹＥＳ）、制御モジュール１１０は、Ｍｏｎｏ１を設定する（ＳＴ２）。よって、音声処理モジュール１０７は、Ｍｏｎｏ１に基づき、選択されたチャンネルＮの変調音声信号を処理する。
【００４１】
チャンネルＮが選択された状態で（チャンネルＮの放送信号が出力された状態で）、Ｍｏｎｏ１が選択されれば（ＳＴ３）（ＳＴ４、ＹＥＳ）、制御モジュール１１０は、Ｍｏｎｏ１を再びラストメモリするように制御し（ＳＴ５）、メモリ部１１１は、Ｍｏｎｏ１を再びラストメモリする。これにより、引き続き、音声処理モジュール１０７は、Ｍｏｎｏ１に基づき、選択されたチャンネルＮの変調音声信号を処理する。
【００４２】
チャンネルＮが選択された状態で（チャンネルＮの放送信号が出力された状態で）、Ｍｏｎｏ２が選択されれば（ＳＴ３）（ＳＴ４、ＮＯ）、制御モジュール１１は、Ｍｏｎｏ２をラストメモリするように制御し（ＳＴ９）、メモリ部１１１は、Ｍｏｎｏ１をラストメモリする。これにより、音声処理モジュール１０７は、Ｍｏｎｏ２に基づき、選択されたチャンネルＮの変調音声信号を処理する。
【００４３】
その後、チャンネルＮが選択されると、チャンネルＮに対して最後に設定（メモリ）されたモードは、Ｍｏｎｏ２であるため（ＳＴ１、ＮＯ）、制御モジュール１１０は、Ｍｏｎｏ２を設定する（ＳＴ６）。よって、音声処理モジュール１０７は、Ｍｏｎｏ２に基づき、選択されたチャンネルＮの変調音声信号を処理する。
【００４４】
チャンネルＮが選択された状態で（チャンネルＮの放送信号が出力された状態で）、Ｍｏｎｏ２が選択されれば（ＳＴ７）（ＳＴ８、ＹＥＳ）、制御モジュール１１０は、Ｍｏｎｏ２を再びラストメモリするように制御し（ＳＴ９）、メモリ部１１１は、Ｍｏｎｏ２を再びラストメモリする。これにより、引き続き、音声処理モジュール１０７は、Ｍｏｎｏ２に基づき、選択されたチャンネルＮの変調音声信号を処理する。
【００４５】
チャンネルＮが選択された状態で（チャンネルＮの放送信号が出力された状態で）、Ｍｏｎｏ１が選択されれば（ＳＴ７）（ＳＴ８、ＮＯ）、制御モジュール１１０は、Ｍｏｎｏ１をラストメモリするように制御し（ＳＴ５）、メモリ部１１１は、Ｍｏｎｏ１をラストメモリする。これにより、音声処理モジュール１０７は、Ｍｏｎｏ１に基づき、選択されたチャンネルＮの変調音声信号を処理する。
【００４６】
音声処理モジュール１０７が、Ｍｏｎｏ１により、過変調音声信号を処理した場合、スピーカー１０８から一部途切れた音声又はノイズが出力されることがある。Ｍｏｎｏ２は、過変調音声信号の処理に適した音声信号処理モードである。よって、音声信号処理モジュール１０７が、Ｍｏｎｏ２により、過変調音声信号を処理した場合、スピーカー１０８から比較的良好な音質の音声が出力されることになる。
【００４７】
ここで、図３を参照し、第１の変調音声信号処理モード（Ｍｏｎｏ１）と第２の変調音声信号処理モード（Ｍｏｎｏ２）による変調音声信号と過変調音声信号の処理について補足説明する。図３は、第１の変調音声信号処理モード（Ｍｏｎｏ１）と第２の変調音声信号処理モード（Ｍｏｎｏ２）による変調音声信号と過変調音声信号の処理の一例を示す図である。
【００４８】
Ｍｏｎｏ１により、過変調音声信号Ｓ２を処理しようとすると、過変調音声信号Ｓ２の信号成分Ｓ２１、Ｓ２２が処理対象から外れてしまう。よって、Ｍｏｎｏ１では、過変調音声信号Ｓ２を適切に処理することができない。
【００４９】
また、Ｍｏｎｏ２により、変調音声信号Ｓ１を処理しようとすると、変調音声信号Ｓ１の信号成分Ｓ１１、Ｓ１２（ノイズ成分）が処理対象に含まれてしまい、音声出力に歪が生じてしまう。よって、Ｍｏｎｏ２では、変調音声信号Ｓ１を適切に処理することができない。
【００５０】
つまり、Ｍｏｎｏ１により、変調音声信号Ｓ１を処理することにより、変調音声信号Ｓ１を適切に処理することができ、良好な音質の音声を出力することができる。また、Ｍｏｎｏ２により、過変調音声信号Ｓ２を処理することにより、過変調音声信号Ｓ２を適切に処理することができ、良好な音質の音声を出力することができる。
【００５１】
上記説明した放送受信装置は、チャンネル毎に、Ｍｏｎｏ１又はＭｏｎｏ２を設定し記憶することができる。よって、放送受信装置は、ユーザーによるチャンネルの切り換えに応じて、切り換えられたチャンネルに設定されたＭｏｎｏ１又はＭｏｎｏ２により、切り換えられたチャンネルの変調音声信号を処理することができる。つまり、ユーザーは、毎回、チャンネルの切り換え毎に、Ｍｏｎｏ１又はＭｏｎｏ２を設定しなくて済み、利便性に優れる。
【００５２】
しかも、過変調音声信号の変調度が予め判明していることを前提とすれば、予め判明している変調度の過変調音声信号の処理に適したＭｏｎｏ２を設定することが可能となる。例えば、信号を受信する度に、受信信号に含まれる過変調音声信号を解析して、過変調音声信号の解析結果に応じて調整された音声処理モードを設定する場合、受信信号の変化及び信号解析誤差等により、設定される音声処理モードが変化することが考えられる。つまり、過変調音声信号の変調度は一定であるにもかかわらず、この過変調音声信号を処理する音声処理モードが変化することにより、音声出力結果も変化してしまう。
【００５３】
これに対して、放送受信装置は、予め判明している変調度の過変調音声信号の処理に適したＭｏｎｏ２で過変調音声信号を処理することができるため、過変調音声信号を安定的に処理することができる。つまり、安定した良好な音声出力結果を得ることができる。
【００５４】
なお、上記説明では、放送受信装置が、各チャンネルに対して、２つの変調音声信号処理モード（Ｍｏｎｏ１／Ｍｏｎｏ２）のうちの何れかのモードを設定し記憶するケースについて説明したが、放送受信装置は、３つ以上の変調音声信号処理モードのうちの何れかのモードを設定し記憶することもできる。
【００５５】
つまり、第１の変調度の第１の変調音声信号、第２の変調度の第２の変調音声信号、さらに、第３の変調度の第３の変調音声信号が存在することが判明している場合、放送受信装置は、第１の変調音声信号を適切に処理することが可能な第１の変調音声信号処理モード、第２の変調音声信号を適切に処理することが可能な第２の変調音声信号処理モード、さらに、第３の変調音声信号を適切に処理することが可能な第３の変調音声信号処理モードを記憶し、各チャンネルに対して、第１、第２、第３の変調音声信号処理モードのうちの何れかのモードを設定し記憶することもできる。
【００５６】
また、上記説明では、初期状態において、各チャンネルに対して第２の変調音声信号処理モードを設定しておくことによるメリットについて説明した。このように、初期状態において、各チャンネルに対して第２の変調音声信号処理モードが設定されている場合、その後は、例えば、ユーザーが、リモートコントローラ１１４のモード設定キーを介して、各チャンネルに対して初期設定された第２の変調音声信号処理モードを第１の変調音声信号処理モードへ変更することができる。
【００５７】
或いは、音声処理モジュール１０７が、変調音声信号を解析し、制御モジュール１１０が、信号解析結果に基づき、第１又は第２の変調音声信号処理モードを設定することもできる。例えば、チャンネルＮが選択され、チャンネルＮの変調音声信号の解析結果に基づき、制御モジュール１１０が、チャンネルＮの変調音声信号が第１の変調音声信号に相当すると判断すると、チャンネルＮに対して第１の変調音声信号処理モードを設定する。また、制御モジュール１１０が、チャンネルＮの変調音声信号が第２の変調音声信号に相当すると判断すると、チャンネルＮに対して第２の変調音声信号処理モードを設定する。これにより、ユーザーが、各チャンネルに対して、第１又は第２の変調音声信号処理モードを設定しなくても、自動的に、各チャンネルに対して、第１又は第２の変調音声信号処理モードを設定することができる。
【００５８】
（第２の実施形態）
第１の実施形態では、チャンネル選択時に、選択したチャンネルに対して第１の変調音声信号処理モード（Ｍｏｎｏ１）又は第２の変調音声信号処理モード（Ｍｏｎｏ２）を設定する第１のモード設定について説明した。第２の実施形態では、図４に示すような信号処理モード設定画面を介して、各チャンネルに対して、第１の変調音声信号処理モード（Ｍｏｎｏ１）又は第２の変調音声信号処理モード（Ｍｏｎｏ２）を設定する第２のモード設定について説明する。
【００５９】
例えば、ユーザーは、リモートコントローラ１１４のメニューキーを介して、信号処理モード設定画面の表示を指示することができる。放送受信装置の制御モジュール１１０は、信号処理モード設定画面の表示指示に対応して、信号処理モード設定画面の表示を制御する。これにより、映像表示部１０６は、図４に示すような信号処理モード設定画面を表示する。
【００６０】
ユーザーは、リモートコントローラ１１４の方向キー及び決定キーを介して、信号処理モード設定画面上で、チャンネル１０１に対してＭｏｎｏ１の設定を指示すると、制御モジュール１１０は、チャンネル１０１に対してＭｏｎｏ１を設定するように制御し、メモリ部１１１は、チャンネル１０１に対してＭｏｎｏ１を記憶する。
【００６１】
或いは、ユーザーが、リモートコントローラ１１４の方向キー及び決定キーを介して、信号処理モード設定画面上で、チャンネル１０１に対してＭｏｎｏ２の設定を指示すると、制御モジュール１１０は、チャンネル１０１に対してＭｏｎｏ２を設定するように制御し、メモリ部１１１は、チャンネル１０２に対してＭｏｎｏ１を記憶する。
【００６２】
同様に、チャンネル１０２、１０３等に対してもＭｏｎｏ１又はＭｏｎｏ２を設定することができ、メモリ部１１１は、チャンネル１０２、１０３等に対してもＭｏｎｏ１又はＭｏｎｏ２を記憶する。
【００６３】
また、第１の実施形態で説明した第１のモード設定により設定された内容を、図３に示す信号処理モード設定画面で確認することもできる。つまり、ユーザーが、リモートコントローラ１１４のメニューキーを介して、信号処理モード設定画面の表示を指示すると、映像表示部１０６は、図４に示すような信号処理モード設定画面（現在の信号処理モードの設定状態）を表示する。
【００６４】
以上説明した第１及び第２の実施形態により、過変調信号の対応に優れた変調信号処理装置及び変調信号処理方法を提供することができる。
【００６５】
なお、上記したモジュールとは、ハードウェアで実現するものであっても良いし、ＣＰＵ等を使ってソフトウェアで実現するものであってもよい。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１０２…チューナー、１０３…信号処理モジュール、１０４…映像処理モジュール、１０５…表示処理モジュール、１０６…映像表示部、１０７…音声処理モジュール、１０８…スピーカー、１１０…制御モジュール、１１１…メモリ部、１１２…ＲＯＭ、１１３…入力部、１１４…リモートコントローラ、１１５…受光部
【図１】
2012015806.tif 000003
【図２】
2012015806.tif 000004
【図３】
2012015806.tif 000005
【図４】
2012015806.tif 000006